Podtech/llm-jp-corpus-v4-ja_patent huggingface dataset:
(57)【要約】【課題】ウキを機械的に二重構成とし、波の影響を除去するという方法が考えられるが、しかしながら、この方法では機械式であるがために応答が遅い、除去精度が不十分であり、経験の浅い釣り人に対するサービスを十分提供できそうにないという問題点があった。【解決手段】二つのウキで構成される差動ウキのうち、波の揺れのみで浮き沈みする差動ウキ２と魚のあたりと波の揺れの両方で浮き沈みする差動ウキ１の両方の動作を釣り人が目視で比較し、波の揺れ情報を除去し、魚のあたり情報のみを抽出することを特徴とする差動ウキ方式の実用化【選択図】図１
2008005788.tif 000002
【特許請求の範囲】
【請求項１】
二つのウキで構成される差動ウキのうち、波の揺れのみで浮き沈みする差動ウキ２と魚のあたりと波の揺れの両方で浮き沈みする差動ウキ１の両方の動作を釣り人が目視で比較し、波の揺れ情報を除去し、魚のあたり情報のみを抽出することを特徴とする差動ウキ方式
【発明の詳細な説明】
【技術分野】
【０００１】
本発明は波の荒い日でも波の影響を除去し、魚のあたりが容易にわかる差動ウキ方式に関するものである。
【背景技術】
【０００２】
釣具の中で、ウキは魚のあたりを直接釣り人に目視で認知させることを主たる役目の一つとする。これまで実用のウキとして、釣りの対象とする魚、釣り場所等によって様々な種類のものが開発されてきた。いずれのウキにも求められてきたものは高感度と天候に関係のない視認性であるが、残念ながら、これまで多くの釣り人は各個人の長年の釣り経験により、その日の天候等によるウキの雑音情報も苦にせず、主に自己判断により実用に供してきた。
【０００３】
しかし、団塊の世代の退職、若年層、婦人層等これまでとは異なり、仕事に忙殺されて、あるいはなかなか余暇時間がとれない等で、釣りはしたいが残念ながらあまりこれまで釣りとは縁がなかった、しかし、これからはいままでできなかった釣りを十分満喫したいといった人々、つまり釣り人口の増加に対して、これまでのように長年の経験による高度な判断を必要とするウキでは、いよいよこれから念願の釣りの世界に参加しようという前記人々のやる気を十分な経験を重ねて本当に釣りをしてよかったと感じるようになるまでにあきらめさせてしまう恐れがあるという欠点があった。
【０００４】
その日の天候等によるウキの雑音情報（波、明るさ等々）の中から魚のあたりを見出すという高度な判断を必要とするウキの用途において、前記のごとく経験の浅い素人においては魚のあたりを見落とすはもちろん、経験豊富な釣り人でも魚のあたり、あわせのタイミングにおいて謝った判断をするなどという問題点があった。
【０００５】
この改善策として、ウキを機械的に二重構成とし、波の影響を除去するという方法が考えられるが、しかしながら、この方法では機械式であるがために応答が遅い、除去精度が不十分であり、経験の浅い釣り人に対するサービスを十分提供できそうにないという問題点がある。
【発明の開示】
【発明が解決しようとする課題】
【０００６】
解決しようとする問題点は、機械式であるがために応答が遅い、除去精度が不十分であり、経験の浅い釣り人に対するサービスを十分提供できそうにないという点である。
【課題を解決するための手段】
【０００７】
二つのウキで構成される差動ウキのうち、波の揺れのみで浮き沈みする差動ウキ２と魚のあたりと波の揺れの両方で浮き沈みする差動ウキ１の両方の動作を釣り人が目視で比較し、波の揺れ情報を除去し、魚のあたり情報のみを抽出することを最も主要な特徴とする。
【発明の効果】
【０００８】
本発明の取り付け金具による差動ウキの構成は、波の揺れのみで浮き沈みする差動ウキ２、魚のあたりと波の揺れの両方で浮き沈みする差動ウキ１、及び取り付け金具からなり、かつ両方の動作を釣り人が目視で比較し、波の揺れ情報を除去し、魚のあたり情報のみを抽出することを最も主要な特徴とするため、最も簡単な構成で釣り人の経験に訴えやすいという利点がある。
【発明を実施するための最良の形態】
【０００９】
波の揺れ情報を除去し、魚のあたり情報のみを抽出するという目的を最小の部品点数で実現した。
【実施例１】
【００１０】
図１は、本発明装置の１実施例の構成図である。
【産業上の利用可能性】
【００１１】
ウキは日中、夜間問わず、魚のあたりを的確に表現する表示装置の役割をおうものである。今回発明の取り付け金具による差動ウキの構成は、波の揺れのみで浮き沈みする差動ウキ２、魚のあたりと波の揺れの両方で浮き沈みする差動ウキ１、及び取り付け金具からなり、かつ両方の動作を釣り人が目視で比較し、波の揺れ情報を除去し、魚のあたり情報のみを抽出することを最も主要な特徴とするため、若干の経験をつめば、今後増加が予想される経験の浅い釣り人に対しても十分適用できる。
【図面の簡単な説明】
【００１２】
【図１】差動ウキの実施方法を示した説明図である。（実施例１）
【符号の説明】
【００１３】
１  取り付け金具
２  取り付け金具止め１
３  取り付け金具止め２
４  差動ウキ１
５  差動ウキ２
６  道糸
【図１】
2008005788.tif 000003
(57)【要約】【課題】日中、及び夜間でウキの視認性を判断し、ウキの取り替え（具体的には電気ウキ等暗がりでも見えるウキへの変更）の必要性がなく、かつ表示ウキそのものが飛ばしウキの役割も担うため、経験の浅い釣り人によく見られる釣りのポイントへの投入の困難さ等に対するサービスを十分に提供することができる。【解決手段】表示ウキに直結した誘導コイルと誘導コイルの中を行き来する道糸に直結した磁石との組み合わせで構成される二つの検知部のうち、波の揺れ情報のみの信号を抽出する副検知部と魚のあたりと波の揺れの両情報が重畳した信号を抽出する主検知部、及び表示ウキ内差動処理回路の実用化【選択図】図１
2008005784.tif 000002
【特許請求の範囲】
【請求項１】
表示ウキに直結した誘導コイルと誘導コイルの中を行き来する道糸に直結した磁石との組み合わせで構成される二つの検知部のうち、波の揺れ情報のみの信号を抽出する副検知部と魚のあたりと波の揺れの両情報が重畳した信号を抽出する主検知部から出力する両信号を比較処理し、波の揺れ情報を除去し、魚のあたり情報のみを抽出することを特徴とする差動電子化ウキ
【発明の詳細な説明】
【技術分野】
【０００１】
本発明は波の荒い日でも波の影響を除去し、魚のあたりが容易にわかる差動電子化
ウキに関するものである。
【背景技術】
【０００２】
釣具の中で、ウキは魚のあたりを直接釣り人に目視で認知させることを主たる役目の一つとする。これまで実用のウキとして、釣りの対象とする魚、釣り場所等によって様々な種類のものが開発されてきた。いずれのウキにも求められてきたものは高感度と天候に関係のない視認性であるが、残念ながら、これまで多くの釣り人は各個人の長年の釣り経験により、その日の天候等によるウキの雑音情報も苦にせず、主に自己判断により実用に供してきた。
【０００３】
しかし、団塊の世代の退職、若年層、婦人層等これまでとは異なり、仕事に忙殺されて、あるいはなかなか余暇時間がとれない等で、釣りはしたいが残念ながらあまりこれまで釣りとは縁がなかった、しかし、これからはいままでできなかった釣りを十分満喫したいといった人々、つまり釣り人口の増加に対して、これまでのように長年の経験による高度な判断を必要とするウキでは、いよいよこれから念願の釣りの世界に参加しようという前記人々のやる気を十分な経験を重ねて本当に釣りをしてよかったと感じるようになるまでにあきらめさせてしまう恐れがあるという欠点があった。
【０００４】
その日の天候等によるウキの雑音情報（波、明るさ等々）の中から魚のあたりを見出すという高度な判断を必要とするウキの用途において、前記のごとく経験の浅い素人においては魚のあたりを見落とすはもちろん、経験豊富な釣り人でも魚のあたり、あわせのタイミングにおいて謝った判断をするなどという問題点があった。
【０００５】
この改善策として、ウキを機械的に二重構成とし、波の影響を除去するという方法が考えられるが、しかしながら、この方法では機械式であるがために応答が遅い、除去精度が不十分であり、経験の浅い釣り人に対するサービスを十分提供できそうにないという問題点がある。
【発明の開示】
【発明が解決しようとする課題】
【０００６】
解決しようとする問題点は、機械式であるがために応答が遅い、除去精度が不十分であり、経験の浅い釣り人に対するサービスを十分提供できそうにないという点である。
【課題を解決するための手段】
【０００７】
表示ウキに直結した誘導コイルと誘導コイルの中を行き来する道糸に直結した磁石との組み合わせで構成される二つの検知部のうち、波の揺れ情報のみの信号を抽出する副検知部と魚のあたりと波の揺れの両情報が重畳した信号を抽出する主検知部から出力する両信号を比較処理し、波の揺れ情報を除去し、魚のあたり情報のみを抽出することを最も主要な特徴とする。
【発明の効果】
【０００８】
本発明の電子化ウキは、表示ウキに直結した誘導コイルと誘導コイルの中を行き来する道糸に直結した磁石との組み合わせで構成されているため、魚のあたりの強弱（具体的には、道糸を引っ張る速度）に比例して、電気信号の振幅の強弱に変換できるので、後段の電気信号処理用電子回路で専用のアルゴリズムに基づいて演算処理を行うことにより、高度な判断処理をリアルタイムに実行できるという利点がある。
【発明を実施するための最良の形態】
【０００９】
表示ウキに直結した誘導コイルと誘導コイルの中を行き来する道糸に直結した磁石との組み合わせで構成された検知部で、魚のあたりの強弱（具体的には、テグスを引っ張る速度）に比例して、電気信号の振幅の強弱に変換するという目的を最小の電子部品点数で実現した。
【実施例１】
【００１０】
図１は、本発明装置の１実施例の構成図である。
【産業上の利用可能性】
【００１１】
ウキは日中、夜間問わず、魚のあたりを的確に表現する表示装置の役割をおうものである。今回発明の電子化ウキは従来のウキのようにそれ自体の浮き沈みが魚のあたりに直接対応した役割を担っているわけではないので、釣り人が目視でウキの浮き沈みの程度を常時注力して判断する必要がなく、ただ表示ウキの表示が釣り人の判断に直結できるため、今後増加が予想される経験の浅い釣り人に対しても十分適用できる。
【図面の簡単な説明】
【００１２】
【図１】電子化ウキの実施方法を示した説明図である。（実施例１）
【符号の説明】
【００１３】
１  表示ウキ
２  誘導コイル１
３  誘導コイル２
４  磁石１
５  磁石２
６  道糸
【図１】
2008005784.tif 000003
(57)【要約】【課題】  箸、スプーン、フォークなどへの巻き付きや付着をし難くし且つ食べ易くすることにより、広い範囲の食品のトッピング用として使用できるようにしたトッピング用焼き海苔を得る。【解決手段】  縦辺Ｔと横辺Ｙの長さがいずれも０．５ｃｍ以上、１．５ｃｍ以下の四角形で、且つ縦辺Ｔと横辺Ｙの長さの比を１：２以内に形成し、箸、スプーン、フォークなどに巻き付き難く、また付着し難くした。【選択図】  図１
2008005795.tif 000002
【特許請求の範囲】
【請求項１】
縦辺と横辺の長さがいずれも０．５ｃｍ以上、１．５ｃｍ以下の四角形で、且つ縦辺と横辺の長さの比が１：２以内に形成されていることを特徴とするトッピング用焼き海苔。
【発明の詳細な説明】
【技術分野】
【０００１】
本発明は、トッピング用焼き海苔に関する。
【背景技術】
【０００２】
焼き海苔は、その独特の香りと味により、海苔巻き、おにぎり等、巻物食品の食材として使用されるだけでなく、細長く裁断されてざる蕎麦、また、更に細く糸状に裁断されて金糸海苔として五目飯やちらし寿司など、また、細かく揉み砕いてたこ焼きやお好み焼きなどの食品のトッピング用の食材として、また、その他、和洋のいろいろな食品のトッピング用の食材として用いられ、また、試みられている（例えば、特許文献１参照。）。
【特許文献１】特開２００２−８５０１５号公報
【発明の開示】
【発明が解決しようとする課題】
【０００３】
上記のように、焼き海苔は、その独特の香りと味により、和洋のいろいろな食品のトッピング用の食材として用いられ、また、試みられているが、焼き海苔は水分を吸収し易く、食品の水分が焼き海苔に吸収されると、焼き海苔が保水し柔らかくなり、糸状に細く裁断された形状のトッピング用焼き海苔の場合、箸、スプーン、フォークなどに巻き付き、また付着してしまい、食べ難くなり、また、見た目も悪くなるといったことがある。また、細かく揉み砕いた形状のトッピング用焼き海苔の場合、箸、スプーン、フォークなどに巻き付いたり付着したりして、見た目も悪くなるといったことがある。
【０００４】
そのため、食品によっては、見た目や食べ難さといった理由から、焼き海苔をトッピングとして使用することをためらうものもあり、特に洋食に多くみられる。
【０００５】
本発明者は、試験研究の結果、箸、スプーン、フォークなどへの巻き付きや付着をし難くし且つ食べ易いトッピング用の焼き海苔の形状として、できるだけ正方形に近い四角形であること、大きすぎず小さすぎないこと、に着目し、本発明を完成するに至った。
【０００６】
本発明の目的は、箸、スプーン、フォークなどへの巻き付きや付着をし難くし且つ食べ易くすることにより、広い範囲の食品のトッピング用として使用できるようにしたトッピング用焼き海苔を提供することにある。
【課題を解決するための手段】
【０００７】
上記の目的を達成するために請求項１に記載のトッピング用焼き海苔は、縦辺と横辺の長さがいずれも０．５ｃｍ以上、１．５ｃｍ以下の四角形で、且つ縦辺と横辺の長さの比が１：２以内に形成されていることを特徴とする。
【発明の効果】
【０００８】
請求項１に記載のトッピング用焼き海苔によれば、縦辺と横辺の長さがいずれも０．５ｃｍ以上、１．５ｃｍ以下の四角形で、且つ縦辺と横辺の長さの比が１：２以内に形成されているので、糸状に細く裁断された形状の従来のトッピング用焼き海苔に比べ遙かに保形性に優れ、そして適度な大きさとなっていることから、箸、スプーン、フォークなどに巻き付いたり付着することが極めて少なくなり、食べ易く、また、見た目もクリーンで食べている人が気にしなくてもよくなり、和食はもとより、焼き海苔をトッピングとして使用することをためらっていた洋食にも広く使用することができるものとなる。
【発明を実施するための最良の形態】
【０００９】
以下、本発明に係るトッピング用焼き海苔を実施するための最良の形態を説明する。
【００１０】
図１は本発明に係るトッピング用焼き海苔の実施の一例を示す平面図である。
【００１１】
本例のトッピング用焼き海苔１は、縦辺Ｔと横辺Ｙのいずれもの長さが０．５ｃｍ以上、１．５ｃｍ以下の四角形で、且つ縦辺Ｔと横辺Ｙの長さの比が１：２以内に形成されている。
【００１２】
トッピング用焼き海苔１の縦辺Ｔと横辺Ｙの長さがいずれも０．５ｃｍ以上、１．５ｃｍ以下の四角形であると、四角形を保つ保形性が強く、箸、スプーン、フォークなどに巻き付き難く、また、付着し難く或いは付着しても剥がれ易く、また食べ易く見た目も良い。特に、トッピング用焼き海苔１の縦辺Ｔ及び横辺Ｙの長さがいずれも０．８ｃｍ以上、１．２ｃｍ以下の四角形であることが好ましく、０．８ｃｍ以上、１．２ｃｍ以下の四角形であると、保形性、難巻き付き性、難付着性に一層優れたものとなる。
【００１３】
四角形に形成されているトッピング用焼き海苔１の縦辺Ｔと横辺Ｙの長さがいずれも０．５ｃｍ以下であると、箸、スプーン、フォークなどに付着し易く、見た目も悪く、また、 縦辺Ｔと横辺Ｙの長さがいずれも１．５ｃｍ以上であると、四角形を保つ保形性が弱くなり、箸、スプーン、フォークなどに巻き付易く、また食べ難く見た目も悪い。
【００１４】
トッピング用焼き海苔１の縦辺Ｔと横辺Ｙの長さの比が１：２以内であると、四角形を保つ保形性が強く、箸、スプーン、フォークなどに巻き付き難く、また食べ易く見た目も良い。特に、トッピング用焼き海苔１の縦辺Ｔと横辺Ｙの長さの比が１：１に近いほど好ましく、１：１に近いほど保形性に優れたものとなる。
【００１５】
四角形に形成されているトッピング用焼き海苔１の縦辺Ｔと横辺Ｙの長さの比が１：２以上であると、四角形を保つ保形性が弱くなり、箸、スプーン、フォークなどに巻き付き易く、また食べ難く見た目も悪い。
【００１６】
上記のように構成されたトッピング用焼き海苔１は、糸状に細く裁断された形状の従来のトッピング用焼き海苔に比べ遙かに保形性に優れ、そして適度な大きさとなっていることから、箸、スプーン、フォークなどに巻き付いたり付着することが極めて少なくなり、食べ易く、また、見た目もクリーンで食べている人が気にしなくてもよくなり、和食はもとより、焼き海苔をトッピングとして使用することをためらっていた洋食にも広く使用することができるものとなる。
【図面の簡単な説明】
【００１７】
【図１】本発明に係るトッピング用焼き海苔の実施の一例を示す平面図である。
【符号の説明】
【００１８】
１  トッピング用焼き海苔
Ｔ  縦辺
Ｙ  横辺
【図１】
2008005795.tif 000003
(57)【要約】【課題】日中、及び夜間でウキの視認性を判断し、ウキの取り替え（具体的には電気ウキ等暗がりでも見えるウキへの変更）の必要性がなく、かつ表示ウキそのものが飛ばしウキの役割も担うため、経験の浅い釣り人によく見られる釣りのポイントへの投入の困難さ等に対するサービスを十分に提供することができる。【解決手段】表示ウキに直結した誘導コイルと誘導コイルの中を行き来する道糸に直結した磁石との組み合わせで構成された検知部の実用化。検知部から得られた魚のあたりに相当する誘導コイルと磁石の位置変化を電気信号に変換し処理する表示ウキにより、表示に適した信号に変換される。【選択図】図１
2008005758.tif 000002
【特許請求の範囲】
【請求項１】
表示ウキに直結した誘導コイルと誘導コイルの中を行き来する道糸に直結した磁石との組み合わせで構成される検知部により、魚のあたり情報を抽出することを特徴とする電子化ウキ
【発明の詳細な説明】
【技術分野】
【０００１】
本発明は、魚のあたり情報を抽出する電子化ウキに関するものである。
【背景技術】
【０００２】
背景
釣具の中で、ウキは魚のあたりを直接釣り人に目視で認知させることを主たる役目の一つとする。これまで実用のウキとして、釣りの対象とする魚、釣り場所等によって様々な種類のものが開発されてきた。いずれのウキにも求められてきたものは高感度と天候に関係のない視認性であるが、残念ながら、これまで多くの釣り人は各個人の長年の釣り経験により、その日の天候等によるウキの雑音情報も苦にせず、主に自己判断により実用に供してきた。
【０００３】
欠点
しかし、団塊の世代の退職、若年層、婦人層等これまでとは異なり、仕事に忙殺されて、あるいはなかなか余暇時間がとれない等で、釣りはしたいが残念ながらあまりこれまで釣りとは縁がなかった、しかし、これからはいままでできなかった釣りを十分満喫したいといった人々、つまり釣り人口の増加に対して、これまでのように長年の経験による高度な判断を必要とするウキでは、いよいよこれから念願の釣りの世界に参加しようという前記人々のやる気を十分な経験を重ねて本当に釣りをしてよかったと感じるようになるまでにあきらめさせてしまう恐れがあるという欠点があった。
【０００４】
問題点
その日の天候等によるウキの雑音情報（波、明るさ等々）の中から魚のあたりを見出すという高度な判断を必要とするウキの用途において、前記のごとく経験の浅い素人においては魚のあたりを見落とすはもちろん、経験豊富な釣り人でも魚のあたり、あわせのタイミングにおいて謝った判断をするなどという問題点があった。
【０００５】
改善策とその問題点
この改善策として、ウキそのものを軽くしてみたり、夜間には電気点灯による視認性向上をはかってみたりというような様々な方法がとられてきたが、しかしながら、これらの方法では結局は根本的解決にならず、日中、夜間でウキの視認性を判断し、ウキの取り替え（電気ウキへの変更）という手間の発生やウキそのものを軽くしたことに伴う思い通りに釣りの好ポイントへの投入が難しくなる等、経験の浅い釣り人に対するサービスを十分提供できない仕掛けにならざるを得なかったという問題点があった。
【特許文献１】特許公開２００２−９５３９８号
【発明の開示】
【発明が解決しようとする課題】
【０００６】
解決しようとする問題点
解決しようとする問題点は、日中、夜間でウキの視認性を判断し、ウキの取り替え（電気ウキへの変更）という手間の発生やウキそのものを軽くしたことに伴う思い通りに釣りの好ポイントへの投入が難しくなる等、経験の浅い釣り人に対するサービスを十分提供できない仕掛けにならざるを得なかったという問題点である。
【課題を解決するための手段】
【０００７】
本発明の特徴
本発明は、表示ウキに直結した誘導コイルと誘導コイルの中を行き来する道糸に直結した磁石との組み合わせで構成された検知部とその検知部からの出力信号を演算処理しその結果を釣り人にわかりやすいように表示する表示ウキとを最も主要な特徴とする。
【発明の効果】
【０００８】
本発明の電子化ウキは、表示ウキに直結した誘導コイルと誘導コイルの中を行き来する道糸に直結した磁石との組み合わせで構成されているため、魚のあたりの強弱（具体的には、テグスを引っ張る速度）に比例して、電気信号の振幅の強弱に変換できるので、後段の電気信号処理用電子回路で専用のアルゴリズムに基づいて各種演算処理を行うことにより、高度な判断処理（例：魚の種類特定、あわせのタイミング指定等々）をリアルタイムに実行できるという利点がある。
【発明を実施するための最良の形態】
【０００９】
表示ウキに直結した誘導コイルと誘導コイルの中を行き来する道糸に直結した磁石との組み合わせで構成された検知部で、魚のあたりの強弱（具体的には、道糸を引っ張る速度）に比例して、電気信号の振幅の強弱に変換するという目的を最小の電子部品点数で実現した。
【実施例１】
【００１０】
図１は、本発明装置の１実施例の構成図である。
【産業上の利用可能性】
【００１１】
ウキは日中、夜間問わず、魚のあたりを的確に表現する表示装置の役割をおうものである。今回発明の電子化ウキは従来のウキのようにそれ自体の浮き沈みが魚のあたりに直接対応した役割を担っているわけではないので、釣り人が目視でウキの浮き沈みの程度を常時注力して判断する必要がなく、ただ表示ウキの表示が釣り人の判断に直結できるため、今後増加が予想される経験の浅い釣り人に対しても十分適用できる。
【図面の簡単な説明】
【００１２】
【図１】電子化ウキの実施方法を示した説明図である。（実施例１）
【符号の説明】
【００１３】
１  表示ウキ
２  誘導コイル
３  磁石
４  道糸
【図１】
2008005758.tif 000003
(57)【要約】【課題】  煮干しから皮下脂肪を除去するとともに一層良好な乾燥状態を得て、変色や生臭さの原因となる腐敗臭の発生、また、だし汁の濁り等を少なくし、常温による流通、保存および長期の日持ちを可能にした煮干しの製造方法を得る。【解決手段】  原料魚を蒸煮し、乾燥させた後、その表面を焙焼することにより、乾燥工程を経た煮干しの皮下脂肪を溶かして消失させて変色や腐敗臭の発生を防止するとともにだし汁の濁り等を少なくし、更に、煮干しの一層良好な乾燥状態を得ることにより常温による流通、保存および長期の日持ちを可能にした。【選択図】  なし【特許請求の範囲】
【請求項１】
原料魚を蒸煮し、乾燥させた後、その表面を焙焼することを特徴とする煮干しの製造方法。
【発明の詳細な説明】
【技術分野】
【０００１】
本発明は、煮干しの製造方法に関する。
【背景技術】
【０００２】
煮干しは、だし汁を造る天然調味料として古くから広く使用されている。煮干しは、水揚げしたイワシ等の原料魚を水洗いし、蒸籠に並べて蒸煮し、乾燥させることにより製造されている。このようにして製造され出荷される煮干しは、できるだけ脂肪や水分を除去することが好ましいが、蒸煮で皮下脂肪を十分に除去することは困難であり、皮下脂肪を残したまま乾燥工程に入り、そして、水分を１３％〜１６％程度まで乾燥させて出荷されているのが現状である。
【０００３】
このため、時間が経つと皮下脂肪が酸化し、これにより煮干しが変色するとともに生臭さの原因のひとつにもなる腐敗臭が発生し、だし汁の味を落とし、また、だし汁の濁りが多くなるといったことがみられ、日持ちしないといった問題があった。
【０００４】
このような問題を解消するために、従来は、原料魚の蒸煮時に、塩だけでなく酸化防止剤を添加して蒸煮するといったことが行われ、煮干しの皮下脂肪の酸化を防止し長期の日持ちを図っている（例えば、特許文献１参照。）。
【特許文献１】特開平１１−３１３６４０号公報
【発明の開示】
【発明が解決しようとする課題】
【０００５】
上記のように、従来の煮干しの製造では、煮干しの皮下脂肪の酸化を防止し、変色や生臭さの原因のひとつにもなる腐敗臭の発生を無くし、また、だし汁の濁り等を少なくするために、原料魚の蒸煮時に、酸化防止剤を添加して蒸煮しているが、皮下脂肪の酸化を十分に防止できるには至らず、このため、煮干しはできるだけ空気に触れないように密封されて低温下で流通状態におかれ、開封後は、しっかり封をして冷蔵庫等で低温保存するといったことが求められている。
【０００６】
また、原料魚の蒸煮時に、酸化防止剤を添加して蒸煮しているので、このようにして製造された煮干しは純天然調味料とはいえず、また、酸化防止剤を添加しているため使用に抵抗を感じる者もいるといった問題がある。
【０００７】
本発明者は、上記の問題を解決すべく試験研究の結果、酸化防止剤を添加することなく煮干しから皮下脂肪を除去する方法を見出し、本発明を完成するに至った。
【０００８】
本発明の目的は、煮干しから皮下脂肪を除去するとともに一層良好な乾燥状態を得て、変色や生臭さの原因となる腐敗臭の発生、また、だし汁の濁り等を少なくし、常温による流通、保存および長期の日持ちを可能にした煮干しの製造方法を提供することにある。
【課題を解決するための手段】
【０００９】
上記の目的を達成するために請求項１に記載の煮干しの製造方法は、原料魚を蒸煮し、乾燥させた後、その表面を焙焼することを特徴とする。
【発明の効果】
【００１０】
請求項１に記載の煮干しの製造方法によれば、原料魚を蒸煮し、乾燥した後、その表面を焙焼するので、乾燥工程を経た煮干しの皮下脂肪が焙焼により溶けて消失し、これにより酸化の原因である皮下脂肪が無くなるので、酸化による変色や生臭さの原因のひとつにもなる腐敗臭の発生を防止することができるとともに、だし汁の濁り等を少なくすることができ、併せて焙焼により煮干しの水分も除け一層良好な乾燥状態を得ることができるので、常温による流通、保存および長期の日持ちを可能にすることができる。
【００１１】
更に、煮干しの表面を焙焼することにより、皮下脂肪と同様に、独特の生臭さの原因のひとつである鱗も焼け落ちるので、鱗を原因とする生臭さをも無くすことができる。
【００１２】
このようにして得られた煮干しは、不必要な脂肪や水分がなくなり、タンパク質の旨味成分を効果的に抽出することができ、味の良いだし汁を造ることができ、また、酸化防止剤を一切使用していないので純天然調味料となり抵抗なく用いることができる。
【発明を実施するための最良の形態】
【００１３】
以下、本発明に係る煮干しの製造方法を実施するための最良の形態を説明する。
【００１４】
本発明に係る煮干しの製造方法で使用する原料魚にあっては、従来から煮干しとして使用されている魚が使用されるが、本例ではイワシを使用している。
【００１５】
先ず、原料魚であるイワシを水洗いし、蒸煮する。イワシの蒸煮にあっては、本例では、ステンレス製の蒸籠にイワシを並べて約８０度で約２０分間蒸煮する。
【００１６】
次に、蒸煮工程を経たイワシを乾燥させる。本例では、蒸煮工程を経たイワシを乾燥機に掛け、水分が１３％〜１６％程度まで乾燥させる。
【００１７】
ここまでの工程は従来の煮干しの製造工程と基本的に変わるところはない。
【００１８】
本発明では、蒸煮工程を経たイワシを乾燥させた後に、乾燥工程を経たイワシの表裏面を満遍なく焙焼する。本例では、乾燥工程を経たイワシをステンレス製の網に並べて表裏面を押さえ、炭火またはガス火によりステンレス製の網で押さえた乾燥させたイワシの表裏面が狐色になるまで焙焼する。このように、乾燥工程を経たイワシの表裏面が狐色になるまで焙焼することにより、乾燥工程を経たイワシの皮下脂肪が焙焼により溶けて消失し、水分も除去され、また、鱗も焼け落ちる。
【００１９】
焙焼工程を経て本発明に係る煮干しが製造が完了するが、焙焼工程を経て得られた煮干を、大型のステンレス製の篭にひろげて放熱し、風を送って焦げ落ちた鱗等の破片を除去し、製品とする。
【００２０】
このようにして得られた煮干しは、皮下脂肪が焙焼により溶けて消失し、これにより酸化の原因である皮下脂肪が無くなるので、酸化による変色や生臭さの原因のひとつにもなる腐敗臭の発生が防止されるとともに、だし汁の濁り等が少なくなる。併せて焙焼により水分も除去できるので一層良好な乾燥状態を得ることができ、常温による流通、保存および長期の日持ちを可能にする。また、表面を焙焼することにより、皮下脂肪と同様に、独特の生臭さの原因のひとつである鱗も焼け落ちるので、鱗を原因とする生臭さをも無くなる。
(57)【要約】【課題】        炭素繊維を巻いて作ったコイルが磁界の中を運動、もしくは、炭素繊維を巻いて作ったコイルをつらぬく磁界が変化する時、電磁誘導現象が発生する。【解決手段】    ＰＡＮ系ＣＦ又はピッチ系ＣＦを巻いて作ったコイルの中に、棒磁石を出し入れすると、コイル内の磁界が変化して誘導起電力が発生し、炭素を主成分とする炭素繊維は金属の代替導線となる事を示す。【特許請求の範囲】
【請求項１】
炭素又は炭素を主成分とする炭素繊維の電磁誘導作用を利用した電気関連の製品。
【請求項２】
ＰＡＮ系炭素繊維（以下、ＰＡＮ系ＣＦと略記）を巻いて作ったコイル。
【請求項３】
ピッチ系炭素繊維（以下、ピッチ系ＣＦと略記）を巻いて作ったコイル。
【請求項４】
請求項２又は請求項３のコイルを用いて作ったダイナモ。
【請求項５】
請求項２又は請求項３のコイルを用いて作ったモートル。
【発明の詳細な説明】
【技術分野】
【０００１】  本発明は、炭素が磁界の中を運動したり、炭素で巻いたコイル内の磁界が変化すると、炭素内に起電力が発生する電磁誘導現象を利用した炭素の電気製品開発に関する。
【背景技術】
【０００２】  特願２００４−０４３６２２で本発明者は、銅線とＰＡＮ系ＣＦをアンテナ材に用いたゲルマラジオの負荷出力を比較して、次の様な実験結果を示した。
アンテナ材の検体                起電力（Ｖ）        電流（ｍＡ）
（１）０．５ｍｍφ銅線（約６．６ｇ）    ０．５２            ０．０６
（２）ＰＡＮ系ＣＦ２束（約６．０ｇ）    １．２５            ０．１２
但し、検体の長さは３６０ｃｍで垂直型アンテナとした。
これは、ＰＡＮ系ＣＦは金属と同じ電磁誘導機能を有し、コイルに使われている銅よりＰＡＮ系ＣＦが優れている事を表わしている。
ピッチ系ＣＦに於ても、これと近似の数値を出している。
【発明の開示】
【発明が解決しようとする課題】
【０００３】  炭素繊維の電気的特性である良好な電気伝導性は知られているが、銅より優れた電磁誘導機能を炭素繊維が持っている事は知られていない。
又、炭素が電磁誘導作用を示す事も記録にはない。
従って［０００２］の結果を受けて、無限資源で化学的にも安定している炭素を主成分とする炭素繊維を、有限資源である銅の代替として用いたコイル及び電気製品を開発する事が、本発明が解決しようとする課題である。
【課題を解決するための手段】
【０００４】  ＰＡＮ系ＣＦ又はピッチ系ＣＦ又はグラファイト棒が磁束を切るように動くと、誘導起電力が発生する。
ＰＡＮ系ＣＦ又はピッチ系ＣＦで作ったコイル内に磁石を出し入れすると、コイル内の磁束が変化して誘導起電力が発生する。
これは、炭素及び炭素繊維がコイルの導線に使用できる事を示しており、従って、炭素及び炭素繊維をコイルの導線に用いる事が、課題を解決するための手段である。
【発明の効果】
【０００５】  電気関連の製品には大量に銅が使われているが、銅は有限資源であるので、将来的には不足する事は明らかである。
そこで、炭素及び炭素繊維に電磁誘導作用がある事を見出して、無限に存在する炭素及び炭素繊維を銅の代替として使える可能性を示したのが、本発明の効果である。
更に、粉状又は粒状の炭素から炭素繊維を直接作る方法を開発する事の必要性を示したのも、本発明の効果であろう。
なお、炭素繊維以外の炭素同素体（新規を含む）が、単独又は複数で導電性物質によって加工されたものも、これらは本発明の範囲内にある。
【発明を実施するための最良の形態】
【０００６】  導電性、耐候性、耐熱性、柔軟性などがある樹脂又は同等の物質で加工を施し、導線状の炭素繊維又は板状の炭素を製作する事によって、発明を実施するための最良の形態ができる。
(57)【要約】【課題】  最近のメデイアの動向として、テレビがアナログ放送からデジタル放送へ移行する予定となっています。有料デジタル放送受信時には課金情報を送信するため電話回線が必要になります。また、パソコンでもテレビの録画でき、テレビでもインターネットが接続できるようになってきました。そのような時代にあわせてケーブルを配線していくと、テレビを視聴するため必要なテレビ受信用同軸ケーブル・電話用ケーブル・LAN用ケーブル（または光ケーブル）等を各部屋にそれぞれ一本ずつ配線していかなくてはなりません。そのような工事上の難点を解決することを課題とする。【解決手段】  テレビ受信用同軸ケーブル・電話用ケーブル・LAN用ケーブルを一体化し、1本の共聴用複合ケーブルにすることでこの課題を解決する。【選択図】  図１
2008123827.tif 000002
【特許請求の範囲】
【請求項１】
テレビを視聴するため必要なテレビ受信用同軸ケーブル・電話用ケーブル・LAN用ケーブル（または光ケーブル）等を一体化した事を特徴とする共聴用複合ケーブル。
【発明の詳細な説明】
【技術分野】
【０００１】
本発明は、テレビを視聴するためテレビ受信用同軸ケーブル・電話用ケーブル・LAN用ケーブル（または光ケーブル）等を一体化し、
共聴システム配線工事の省力化および露出配線する際美観上きれいに配線できるようにしたものである。
【背景技術】
【０００２】
最近のメデイアの動向として、テレビがアナログ放送からデジタル放送へ移行する予定となっています。
有料デジタル放送受信時には課金情報を送信するため電話回線が必要になります。
また、パソコンでもテレビの録画でき、テレビでもインターネットが接続できるようになってきました。
そのような時代にあわせてケーブルを配線していくと、テレビを視聴するため必要なテレビ受信用同軸ケーブル・電話用ケーブル・LAN用ケーブル（または光ケーブル）等を
各部屋にそれぞれ一本ずつ配線していかなくてはなりません。
そこで、それぞれの機能をもったケーブルを1本にまとめて配線できれば、共聴システム配線工事の省力化になります。
また、露出配線時1本のケーブルになっていますから美観上もきれいに配線できます。
【特許文献１】特開2001-266656  ・  特開2001-250426  ・  特開2002-260457  公報
【発明の開示】
【発明が解決しようとする課題】
【０００３】
テレビを視聴するため必要なテレビ受信用同軸ケーブル・電話用ケーブル・LAN用ケーブル（または光ケーブル）等を各部屋にそれぞれ一本ずつ配線するのは配線工事に手間がかかります。
また、工事コストもかかります。
【課題を解決するための手段】
【０００４】
この課題を解決するための請求項１の発明は、それぞれのテレビの視聴に必要な機能をもったケーブルを1本にまとめて配線できれば、
共聴システム配線工事の省力化になります。また、露出配線時1本のケーブルになっていますから美観上もきれいに配線できます。
【発明の効果】
【０００５】
本発明によりテレビ共聴システム工事の省力化になります。また、露出配線時1本のケーブルになっていますから美観上もきれいに配線できます。
【発明を実施するための最良の形態】
【０００６】
図１は、ケーブルの構造図です。図に示すようにテレビ受信用同軸ケーブル・電話用ケーブル・LAN用ケーブル（または光ケーブル）等を一体化し、
1本のケーブルにした形態の物です。
【産業上の利用可能性】
【０００７】
本発明に係るケーブルは、工業的に量産することが可能であるため、産業上の利用可能性を有する。
【図面の簡単な説明】
【０００８】
【図１】テレビ受信用同軸ケーブル・電話用ケーブル・LAN用ケーブル（または光ケーブル）等を一体化し、1本のケーブルにした形態の構造図である。
【符号の説明】
【０００９】
１    電話用ケーブルの導体
２    電話用ケーブルの内装被覆絶縁体
３    電話用ケーブルの外装被覆絶縁体
４    テレビ受信用同軸ケーブルの導体
５    テレビ受信用同軸ケーブルの内装被覆絶縁体
６    テレビ受信用同軸ケーブルのシールド導体
７    テレビ受信用同軸ケーブルの外装被覆絶縁体
８    LAN用ケーブルの導体
９    LAN用ケーブルの内装被覆絶縁体
１０  LAN用ケーブルの外装被覆絶縁体  
１１  一体化するための外装被覆絶縁体
【図１】
2008123827.tif 000003
(57)【要約】【課題】  使用中突然の灯油切れで湯沸しボイラーが止まった際、応急的に続けて湯沸しボイラーを使用できるようにした、灯油切れ防止貯蔵タンクを提供する。【解決手段】  メインタンク内部に小型予備タンクを設け、もしくはメインタンク内部に長さの異なった２本の灯油排出用パイプを設け、突然の灯油切れの際、予備の灯油排出用バルブを開くだけで応急的に予備の灯油を湯沸しボイラーへ送ることにより再度湯沸しボイラーを起動させることを出来るようにした灯油切れ防止貯蔵タンク。【選択図】図１
2008134035.tif 000002
【特許請求の範囲】
【請求項１】
メインタンク内部に小型予備タンクを設け、湯沸しボイラーを使用中に突然メインタンク内の灯油切れでボイラーが止まった際、応急的に予備タンク内の灯油をボイラーへ送ることにより再度燃焼させることを特徴とする灯油切れ防止貯蔵タンク。
【請求項２】
メインタンク内部に長さの異なった２本の灯油排出用パイプを設け、それぞれに灯油排出用バルブを設け、パイプ長とパイプ短の間に残った灯油を予備灯油とすることを特徴とした灯油切れ防止貯蔵タンク。
【発明の詳細な説明】
【技術分野】
【０００１】  本発明は、突然の灯油切れで使用中のボイラーが止まった際、予備の灯油を使い、再度ボイラーを燃焼させることを目的とした灯油切れ防止貯蔵タンクに関するものである。
【背景技術】
【０００２】  従来、屋外などに置いてある灯油貯蔵タンクには油量計が付いているが、油量計を見てなくて、使用している最中に灯油切れを起こすことがあった。
また、油量計を見ても、まだしばらくは大丈夫と思い込んで使用している最中に灯油切れを起こすことがあった。
【発明の開示】
【発明が解決しようとする課題】
【０００３】  そのために、次のような問題点があった。
灯油切れを起こした際、応急的に買い置きのポリタンクから小型の灯油ポンプ等を使い灯油貯蔵タンクに移さなければならず作業が面倒であった。
尚、買い置きがない場合は、ボイラーを再起動できず不便であった。
本発明は以上の問題点を解決するためになされたものである。
【課題を解決するための手段】
【０００４】  メインタンク内部に小型の予備タンクを設け、もしくは予備タンクを設けずメインタンク内部に長さの異なった長短２本の灯油排出用パイプを設け、パイプ長とパイプ短の間に残った灯油を予備として使用、メインタンク内の灯油がなくなった際、予備灯油排出用バルブを開くことにより応急的に予備の灯油をボイラーに送り、再度湯沸しボイラーを起動することができることを特徴とした灯油切れ防止貯蔵タンクである。
【発明の効果】
【０００５】  入浴中などにメインタンク内の灯油が切れて湯沸しボイラーが止まった場合、バルブを開くだけで予備の灯油を応急的にボイラーに送ることができ、すぐに湯沸しボイラーを再度起動することができる。
【発明を実施するための最良の形態】
【０００６】  以下、本発明の形態に付いて説明する。
（イ）メインタンク（１）の内部に予備タンク（２）を取り付ける。
（ロ）予備タンク（２）の灯油排出口（６）に切り込みを設け、排出口蓋（５）を差し込んで灯油が予備タンク外へ出るのを止める。
（ハ）排出口蓋上部に支柱（４）を設け、メインタンク（１）上部へ出た部分に排出口開閉用レバー（３）を取り付ける。
（ニ）（図４）及び（図５）においては、予備タンク（２）の下部に灯油排出用パイプ（８）を設け、パイプの途中に予備灯油排出用バルブ（１０）を設ける。
（ホ）予備タンク上部には蓋がなくメインタンクに給油をした際予備タンクにも自動的に給油される。
（ヘ）もしくは、予備タンクを設けずメインタンク内部にパイプ長（Ａ）及びパイプ短（Ｂ）の長さが異なる灯油排出用パイプ２本を設け、パイプ（Ａ）及びパイプ（Ｂ）間に残る灯油を予備灯油として使用する。
本発明は以上の構成によりなっている。
本発明を使用する場合は、排出口開閉用レバー（３）を下へ引くことにより排出口の蓋（５）が開き予備タンク（２）の排出口（６）から流れ出た灯油が空になったメインタンク（１）内に溜まりボイラーを起動させることができる。
図４及び図５においては、予備タンク（２）下部の灯油排出用バルブ（１０）を開くことにより、予備の灯油をボイラーに送ることができる。
図６においては、灯油排出用パイプ長（Ａ）及び灯油排出用パイプ短（Ｂ）の間に残っている灯油を、予備灯油排出用バルブ（１０）を開くことにより応急的に予備灯油として使用できる。
【図面の簡単な説明】
【０００７】
【図１】本発明のメインタンク内部に小型予備タンクを設け、上部に補助灯油の排出用レバーを設けた貯蔵タンク斜視図である。
【図２】本発明のメインタンク内部に小型予備タンクを設け、上部に補助灯油の排出用レバーを設けた貯蔵タンク側面の断面図である。
【図３】本発明のメインタンク内部の排出口を開いた状態を示した側面図である。
【図４】本発明のメインタンク内部に小型予備タンクを設けた斜視図である。
【図５】本発明のメインタンク内部に小型予備タンクを設けた断面図である。
【図６】本発明のメインタンク内部にそれぞれ長さの異なる長短２本の灯油排出用パイプを設けた断面図である。
【符号の説明】
【０００８】  １  メインタンク
２  予備タンク
３  排出口開閉レバー
４  支柱
５  排出口蓋
６  予備タンク灯油排出口
７  予備タンク給油口
８  灯油排出用パイプ
９  メインタンク灯油排出用バルブ
１０  予備タンク灯油排出用バルブ
Ａ  灯油排出用パイプ長
Ｂ  灯油排出用パイプ短
Ｃ  パイプＡＢ間の予備灯油部分
【図１】
2008134035.tif 000003
【図２】
2008134035.tif 000004
【図３】
2008134035.tif 000005
【図４】
2008134035.tif 000006
【図５】
2008134035.tif 000007
【図６】
2008134035.tif 000008
(57)【要約】【課題】デジタルオーディオプレーヤーの利用は、パソコンの利用などを前提としているのでパソコンの利用できない者には利用が難しかった。また、様々な手段を用いて音楽情報を入手する必要があり、情報の入手後もさらにパソコンに入力するなどの操作が必要であった。【解決手段】音楽情報を満載したサーバーから、デジタルオーディオプレーヤーに自動的に音楽情報をダウンロードすることで、パソコンによる操作も不要となりパソコンの知識がないユーザーもデジタルオーディオプレーヤーを利用できるようになる。また、街角で自分が聞きたい時にいつでも音楽を手に入れることができる環境を提供することができる。【選択図】図１
2008134576.tif 000002
【特許請求の範囲】
【請求項１】
音楽情報を蓄積したサーバーを内蔵し、サーバー内の音楽情報をデジタルオーディオプレーヤーに自動的にダウンロードする機械。
【発明の詳細な説明】
【技術分野】
【０００１】  この発明は、デジタルオーディオプレーヤー向けの音楽情報を入手する方法に関する。
【背景技術】
【０００２】  従来のデジタルオーディオプレーヤーの音楽情報を入力する方法は、ＣＤなどの音楽媒体を用いるか若しくはインターネットからユーザーがダウンロードしたものに限られていた。
【発明の開示】
【発明が解決しようとする課題】
【０００３】  しかしながら、以上の技術によればパソコンを利用できる環境を有するか又はＣＤなどの音楽媒体を利用できる環境が必要であった。
そこで、この発明は、パソコンやＣＤそのものやそれらの知識をもたないユーザーにデジタルオーディオプレーヤーを利用できる環境を提供することを課題とする。
【課題を解決するための手段】
【０００４】  以上の課題を解決するために、発明は、ユーザーが選択した音楽情報を機械内部の音楽情報を蓄積したサーバーからダウンロード領域に転送し、ユーザーがデジタルオーディオプレーヤーをダウンロード領域である端末接続部に接続すれば、音楽情報を自動的にダウンロードすることを特徴とする機械である。
【発明の効果】
【０００５】  以上の技術によれば、パソコンの知識のないユーザーやインターネットを利用できる環境にないユーザーもデジタルオーディオプレーヤーを利用することができる。また、自宅などのパソコンの操作をせずにそのままデジタルオーディオプレーヤーを利用することができる。
【発明を実施するための最良の形態】
【０００６】  この発明は、図１に示す方法で音楽をダウンロードする機械であり、ユーザーはまず音楽ダウンロード機械のパネル操作部で入手する音楽（曲名やタイトル名）を選択する。ユーザーが選択した音楽を自動的に音楽情報を蓄積したサーバー内から検索し、検索した音楽情報はデジタルオーディオプレーヤー用端末接続部に送られる。デジタルオーディオプレーヤーを端末接続部に接続すれば、音楽情報が自動的にダウンロードされる。
【産業上の利用可能性】
【０００７】  レンタルＣＤ店、コンビニエンスストアなどの産業上の利用可能性がある。
【図面の簡単な説明】
2008134576.tif 000003
【符号の説明】
【００１１】▲１▼  音楽ダウンロード機械
▲２▼  パネル操作部
▲３▼  端末接続部（ダウンロード領域）
▲４▼  音楽情報蓄積サーバー、音楽情報検索作業部
▲５▼  デジタルオーディオプレーヤー
【図１】
2008134576.tif 000004
【手続補正書】
【提出日】平成19年3月18日(2007.3.18)
【手続補正１】
【補正対象書類名】明細書
【補正対象項目名】全文
【補正方法】変更
【補正の内容】
【発明の詳細な説明】
【技術分野】
【０００１】  この発明は、デジタルオーディオプレーヤー向けの音楽情報を入手する方法に関する。
【背景技術】
【０００２】  従来のデジタルオーディオプレーヤーの音楽情報を入力する方法は、ＣＤなどの音楽媒体を用いるか若しくはインターネットからユーザーがダウンロードしたものに限られていた。
【発明の開示】
【発明が解決しようとする課題】
【０００３】  しかしながら、以上の技術によればパソコンを利用できる環境を有するか又はＣＤなどの音楽媒体を利用できる環境が必要であった。
そこで、この発明は、パソコンやＣＤそのものやそれらの知識をもたないユーザーにデジタルオーディオプレーヤーを利用できる環境を提供することを課題とする。
【課題を解決するための手段】
【０００４】  以上の課題を解決するために、発明は、ユーザーが選択した音楽情報を機械内部の音楽情報を蓄積したサーバーからダウンロード領域に転送し、ユーザーがデジタルオーディオプレーヤーをダウンロード領域である端末接続部に接続すれば、音楽情報を自動的にダウンロードすることを特徴とする機械である。
【発明の効果】
【０００５】  以上の技術によれば、パソコンの知識のないユーザーやインターネットを利用できる環境にないユーザーもデジタルオーディオプレーヤーを利用することができる。また、自宅などのパソコンの操作をせずにそのままデジタルオーディオプレーヤーを利用することができる。
【発明を実施するための最良の形態】
【０００６】  この発明は、図１に示す方法で音楽をダウンロードする機械であり、ユーザーはまず音楽ダウンロード機械のパネル操作部で入手する音楽（曲名やタイトル名）を選択する。ユーザーが選択した音楽を自動的に音楽情報を蓄積したサーバー内から検索し、検索した音楽情報はデジタルオーディオプレーヤー用端末接続部に送られる。デジタルオーディオプレーヤーを端末接続部に接続すれば、音楽情報が自動的にダウンロードされる。
【産業上の利用可能性】
【０００７】  レンタルＣＤ店、コンビニエンスストアなどの産業上の利用可能性がある。
【図面の簡単な説明】
【０００８】
【図１】この発明における音楽ダウンロードの方法図である。
【図２】この発明における正面図である。図は台の上に音楽ダウンロード機械を設置したものである。
【図３】この発明における側面図である。
【符号の説明】
【０００９】  ▲１▼  音楽ダウンロード機械
▲２▼  パネル操作部
▲３▼  端末接続部（ダウンロード領域）
▲４▼  音楽情報蓄積サーバー、音楽情報検索作業部
▲５▼  デジタルオーディオプレーヤー
【手続補正２】
【補正対象書類名】図面
【補正対象項目名】全図
【補正方法】変更
【補正の内容】
【図１】
2008134576.tif 000005
【図２】
2008134576.tif 000006
【図３】
2008134576.tif 000007